(57)【要約】【課題】シートに対して適正に給電することができるシート用ワイヤハーネスを提供することを目的とする。【解決手段】シート用ワイヤハーネス１は、車両フロア側の電源が接続される第１配索材１０と、シート１０１と共にスライド移動可能かつシート１０１と共には一体回転不能であり、第１配索材１０が接続されシート１０１のスライド移動に伴って第１配索材１０の引き出し及び巻き取りを行う固定体２１、及び、シート１０１と共にスライド移動可能かつシート１０１と共に一体回転可能である回転体２２を含む巻き取り装置２０と、シート１０１に設けられ、一方の端部が回転体２２に接続され、他方の端部側にシート１０１に設けられた電装品が接続される第２配索材とを備え、回転体２２は、シート１０１の回転に伴って固定体２１に対して相対回転すると共に、第１配索材１０と第２配索材との接続を中継する。【選択図】図３
2020114080.tif 000002
【特許請求の範囲】
【請求項１】
一方の端部側に車両フロア側の電源が電気的に接続される第１配索材と、
前記車両フロアに設置されるシートと共にスライド方向に沿ってスライド移動可能かつ当該シートの回転軸を回転中心とした回転方向に当該シートと共には一体回転不能であり、前記第１配索材の他方の端部が接続され前記シートのスライド移動に伴って前記第１配索材の引き出し及び巻き取りを行う固定体、及び、前記シートと共にスライド方向に沿ってスライド移動可能かつ前記回転軸を回転中心とした回転方向に当該シートと共に一体回転可能である回転体を含み、前記回転軸に設けられる巻き取り装置と、
前記シートに設けられ、一方の端部が前記回転体に接続され、他方の端部側に前記シートに設けられた電装品が電気的に接続される第２配索材とを備え、
前記回転体は、前記シートの回転に伴って前記固定体に対して相対回転すると共に、前記固定体に接続された前記第１配索材と当該回転体に接続された前記第２配索材との電気的な接続を中継することを特徴とする、
シート用ワイヤハーネス。
【請求項２】
前記固定体は、前記シートのスライド移動に伴う前記スライド方向に沿った前記第１配索材の引き出し及び巻き取りを行う、
請求項１に記載のシート用ワイヤハーネス。
【発明の詳細な説明】
【技術分野】
【０００１】
本発明は、シート用ワイヤハーネスに関する。
【背景技術】
【０００２】
車両に適用される従来のシート用ワイヤハーネスとして、例えば、特許文献１には、車両の車体側と、車体に対して所定の方向にスライド動作可能なスライドシート側とを電気的に接続して給電するスライドシート用給電装置が開示されている。
【先行技術文献】
【特許文献】
【０００３】
【特許文献１】特開２０１３−０２３０６９号公報
【発明の概要】
【発明が解決しようとする課題】
【０００４】
ところで、上述の特許文献１に記載のスライドシート用給電装置は、例えば、更なる多様なシートアレンジを可能とする構成が望まれている。
【０００５】
本発明は、上記の事情に鑑みてなされたものであって、シートに対して適正に給電することができる、シート用ワイヤハーネスを提供することを目的とする。
【課題を解決するための手段】
【０００６】
上記目的を達成するために、本発明に係るシート用ワイヤハーネスは、一方の端部側に車両フロア側の電源が電気的に接続される第１配索材と、前記車両フロアに設置されるシートと共にスライド方向に沿ってスライド移動可能かつ当該シートの回転軸を回転中心とした回転方向に当該シートと共には一体回転不能であり、前記第１配索材の他方の端部が接続され前記シートのスライド移動に伴って前記第１配索材の引き出し及び巻き取りを行う固定体、及び、前記シートと共にスライド方向に沿ってスライド移動可能かつ前記回転軸を回転中心とした回転方向に当該シートと共に一体回転可能である回転体を含み、前記回転軸に設けられる巻き取り装置と、前記シートに設けられ、一方の端部が前記回転体に接続され、他方の端部側に前記シートに設けられた電装品が電気的に接続される第２配索材とを備え、前記回転体は、前記シートの回転に伴って前記固定体に対して相対回転すると共に、前記固定体に接続された前記第１配索材と当該回転体に接続された前記第２配索材との電気的な接続を中継することを特徴とする。
【０００７】
また、上記シート用ワイヤハーネスでは、前記固定体は、前記シートのスライド移動に伴う前記スライド方向に沿った前記第１配索材の引き出し及び巻き取りを行うものとすることができる。
【発明の効果】
【０００８】
本発明に係るシート用ワイヤハーネスは、第１配索材と巻き取り装置と第２配索材とを介して車両フロア側の電源とシートに設けられた電装品とを電気的に接続し、電源から電装品に給電（電力の供給）を行うことができる。この場合、巻き取り装置は、シートのスライド移動に伴って固定体によって第１配索材の引き出し及び巻き取りを行うと共に、シートの回転に伴って固定体に対して相対回転する回転体によって第１配索材と第２配索材との電気的な接続を中継する。この構成により、巻き取り装置は、シートのスライド位置に応じて適正に第１配索材の余長を吸収することができると共に第１配索材と第２配索材とを電気的に接続した状態を維持してシートの回転を許容することができる。この結果、シート用ワイヤハーネスは、シートに対して適正に給電することができる、という効果を奏する。
【図面の簡単な説明】
【０００９】
【図１】図１は、実施形態に係るシート用ワイヤハーネスが適用されたシートの概略構成を表す模式的な側面図である。
【図２】図２は、実施形態に係るシート用ワイヤハーネスが適用されたシートの概略構成を表す模式的な平面図である。
【図３】図３は、実施形態に係るシート用ワイヤハーネスが適用されたシートの概略構成を表す模式的な斜視図である。
【図４】図４は、実施形態に係るシート用ワイヤハーネスが備える巻き取り装置の概略構成を表す模式的な斜視図である。
【図５】図５は、実施形態に係るシート用ワイヤハーネスが備える巻き取り装置の概略構成を表す模式的な断面斜視図である。
【図６】図６は、実施形態に係るシート用ワイヤハーネスが適用されたシートの動作の一例を表す模式的な斜視図である。
【図７】図７は、実施形態に係るシート用ワイヤハーネスが適用されたシートの動作の一例を表す模式的な平面図である。
【発明を実施するための形態】
【００１０】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１１】
なお、以下で説明する図１、図２、図７は、車両フロアの一部のみを二点鎖線で省略して図示し、他図では車両フロアの図示自体を省略している。図３、図６は、シートベースを二点鎖線で省略して図示し、図４、図５は、シートベースの図示自体を省略している。図１、図２、図７は、シートレールの一部のみを二点鎖線で省略して図示し、他図ではシートレールの図示自体を省略している。その他、各図において、シートの要部以外の部分は適宜省略して図示している。また、以下の説明では、互いに交差する第１方向、第２方向、及び、第３方向のうち、第１方向を「前後方向Ｘ」といい、第２方向を「幅方向Ｙ」といい、第３方向を「高さ方向Ｚ」という。ここでは、前後方向Ｘと幅方向Ｙと高さ方向Ｚとは、相互に直交する。典型的には、シート用ワイヤハーネスが車両に搭載され当該車両が水平面に位置する状態で、前後方向Ｘ、幅方向Ｙは、水平方向に沿い、高さ方向Ｚは、鉛直方向に沿う。前後方向Ｘは、典型的には、シート用ワイヤハーネスが搭載される車両の全長方向に相当し、ここでは、シートのスライド方向に沿った方向に相当する。幅方向Ｙは、典型的には、シート用ワイヤハーネスが搭載される車両の全幅方向に相当する。高さ方向Ｚは、典型的には、シート用ワイヤハーネスが搭載される車両の車高方向に相当する。以下の説明で用いる各方向は、特に断りのない限り、各部が相互に組み付けられた状態での方向を表すものとする。
【００１２】
［実施形態］
図１、図２、図３に示す本実施形態のシート用ワイヤハーネス１は、車両の床面を構成する車両フロア１００に設置されたシート１０１に対して給電（電力の供給）を行う車載給電システムの一部を構成するものである。
【００１３】
シート１０１は、車両の乗員が着座するものであり、車両フロア１００に対してスライド方向Ｌ１に沿ってスライド移動可能に設置される。本実施形態のシート１０１のスライド方向Ｌ１は、前後方向Ｘに沿った方向である。シート１０１は、シートベース１０２を介して車両フロア１００に設けられたシートレール１０３に支持される。シートベース１０２は、シート１０１の高さ方向Ｚの下側に位置し当該シート１０１を支持する台座部分である。シートベース１０２は、高さ方向Ｚの下側の面に複数のスライダ１０４が設けられる。シートレール１０３は、シート１０１の前後方向Ｘに沿ったスライド移動を案内するためのガイドレールである。シートレール１０３は、車両フロア１００に前後方向Ｘに延在して設けられる。シートレール１０３は、幅方向Ｙに沿って間隔をあけて一対で設けられる。各シートレール１０３は、スライダ１０４が嵌合され、当該スライダ１０４をスライド方向Ｌ１（前後方向Ｘ）に沿って案内する。上記の構成により、シート１０１は、シートベース１０２、スライダ１０４を介して各シートレール１０３に支持され、当該各シートレール１０３上をスライド方向Ｌ１に沿ってスライド移動可能に構成される。シート１０１は、電動でスライド移動可能に構成されてもよいし、手動でスライド移動可能に構成されてもよい。
【００１４】
さらに、本実施形態のシート１０１は、回転軸１０５を有し、回転軸１０５を回転中心とした回転方向Ｌ２に回転可能に構成される。回転軸１０５は、シート１０１において乗員が着座する座面部１０６に設けられる。回転軸１０５は、座面部１０６の高さ方向Ｚの下側の面から当該高さ方向Ｚの下側に向けて突出するように形成される。回転軸１０５は、中心軸線Ｃが高さ方向Ｚに沿う略円筒状に形成される。回転軸１０５は、シートベース１０２に中心軸線Ｃを回転中心として回転可能に支持される。上記の構成により、シート１０１は、回転軸１０５の中心軸線Ｃを回転中心とした回転方向Ｌ２に任意の角度で回転可能に構成される。一方、シートベース１０２は、複数のスライダ１０４を介して各シートレール１０３に支持された状態で、回転軸１０５の中心軸線Ｃを回転中心とした回転方向Ｌ２に回転可不能に固定されている。例えば、図７に示すシート１０１は、図２に示す基準位置に対して１８０°回転した状態を表している。シート１０１は、電動で回転可能に構成されてもよいし、手動で回転可能に構成されてもよい。
【００１５】
シート用ワイヤハーネス１は、上記のように、車両フロア１００に、スライド方向Ｌ１に沿ってスライド移動可能かつ回転方向Ｌ２に回転可能に設置されたシート１０１に対して給電を行う。
【００１６】
具体的には、シート用ワイヤハーネス１は、第１配索材１０と、巻き取り装置２０と、第２配索材３０とを備える。
【００１７】
第１配索材１０は、導電性を有し、車両フロア１００側の電源１０７とシート１０１に設けられる電装品１０８とを電気的に接続する給電ラインの一部を構成する配索体である。ここで、電源１０７は、車両に搭載され、電力供給の源となるものである。電源１０７は、例えば、電力を発生させる発電装置、電力を蓄電する蓄電装置等によって構成される。電源１０７は、車両フロア１００側に据え付けられており、シート１０１と共には移動しないように構成されている。一方、電装品１０８は、電源１０７から供給される電力によって動作する電子機器である。電装品１０８は、例えば、座面部１０６を暖めるヒータや各部を駆動する電動モータ等の各種アクチュエータ、荷重等を検出する各種センサ、操作入力を受け付ける各種スイッチ類等によって構成される。電装品１０８は、シート１０１に設けられ、シート１０１と共に移動可能に構成されている。電源１０７と電装品１０８とは、シート１０１のスライド移動や回転に伴って相対移動する位置関係にある。第１配索材１０を含んで構成される給電ラインは、当該電源１０７と当該電装品１０８との間で電力を供給する。
【００１８】
第１配索材１０は、車両フロア１００の高さ方向Ｚの下側の空間部（いわゆるフロア下）に配索される。第１配索材１０は、例えば、複数の導電性を有する導体部（芯線）の外側を絶縁性の被覆部によって覆った電線等によって構成される。ここでは、第１配索材１０は、例えば、長尺の平面帯状に形成されたフラットケーブル（ＦＦＣ：Ｆｌｅｘｉｂｌｅ  Ｆｌａｔ  Ｃａｂｌｅ）によって構成される。第１配索材１０は、前後方向Ｘに沿って延在する。第１配索材１０は、前後方向Ｘの一方の端部側に電源１０７が電気的に接続される。ここでは、第１配索材１０は、当該前後方向Ｘの一方の端部にコネクタ１１が設けられ、コネクタ１１や他の配索材を介して電源１０７と電気的に接続される。コネクタ１１は、車両フロア１００側に据え付けられており、第１配索材１０の前後方向Ｘの一方の端部がシート１０１と共には移動しないように構成されている。そして、第１配索材１０は、前後方向Ｘの他方の端部側に巻き取り装置２０が接続され、シート１０１と共に移動可能に構成されている。
【００１９】
巻き取り装置２０は、シート１０１のスライド移動や回転に伴って第１配索材１０の余長を吸収すると共にシート１０１の回転を許容するための装置である。本実施形態の巻き取り装置２０は、固定体２１、及び、回転体２２を含み、シート１０１の回転軸１０５に設けられる。ここでは、巻き取り装置２０は、回転軸１０５の高さ方向Ｚの下側の端面に据え付けられている。
【００２０】
より詳細には、固定体２１は、巻き取り装置２０において、主としてシート１０１のスライド移動に伴って第１配索材１０の余長を吸収する機能を担う部分である。固定体２１は、図１、図３、図４に示すように、回転軸１０５の中心軸線Ｃと同軸の略円筒状に形成される。固定体２１は、複数（ここでは４つ）のブラケット部２１ａを有する。固定体２１は、回転軸１０５の高さ方向Ｚの下側の端面と間隔をあけて位置し、ブラケット部２１ａを介してシートベース１０２の高さ方向Ｚの下側の面に固定される。この構成により、固定体２１は、シート１０１と共にスライド方向Ｌ１に沿ってスライド移動可能かつ回転軸１０５を回転中心とした回転方向Ｌ２に当該シート１０１と共には一体回転可能不能に固定されて構成される。
【００２１】
そして、固定体２１は、上述した第１配索材１０の前後方向Ｘの他方の端部が接続され、シート１０１のスライド移動に伴って第１配索材１０の当該他端部側の引き出し及び巻き取りを行う。固定体２１は、シート１０１のスライド移動と同期して第１配索材１０の引き出し及び巻き取りを行う。第１配索材１０は、固定体２１によって引き出し及び巻き取りが行われることでいわゆるスパイラルケーブルとし機能する。固定体２１は、例えば、当該固定体２１から引き出された第１配索材１０に対して巻き取り側への付勢力を付与するリターンスプリング等を含んで種々の公知の構造によって構成される。
【００２２】
一方、回転体２２は、巻き取り装置２０において、主として第１配索材１０と第２配索材３０とを電気的に接続した状態を維持してシート１０１の回転を許容する機能を担う部分である。回転体２２は、図１、図３、図４に示すように、固定体２１と同様に、回転軸１０５の中心軸線Ｃと同軸の略円筒状に形成される。回転体２２は、図４、図５に示すように、ボス部２２ａ、及び、コネクタ接続部２２ｂを有する。ボス部２２ａ、及び、コネクタ接続部２２ｂは、回転体２２の高さ方向Ｚの上側の面に形成される。
【００２３】
ボス部２２ａは、回転体２２の高さ方向Ｚの上側の面から高さ方向Ｚに沿って突出し、略円柱状に形成される。ボス部２２ａは、中心軸線Ｃからオフセットされた位置に形成されている。回転体２２は、高さ方向Ｚに対して、回転軸１０５の下側の端面と固定体２１との間に保持され、この状態でボス部２２ａが回転軸１０５の下側の端面に形成された嵌合凹部１０５ａに嵌合される。この構成により、回転体２２は、シート１０１と共にスライド方向Ｌ１に沿ってスライド移動可能かつ回転軸１０５を回転中心とした回転方向Ｌ２に当該シート１０１と共に一体回転可能に構成される。またこの構成により、回転体２２は、シート１０１の回転に伴って固定体２１に対して相対回転する構成とされる。
【００２４】
コネクタ接続部２２ｂは、回転体２２の当該上側の面から高さ方向Ｚに沿って突出し、略矩形筒状に形成される。コネクタ接続部２２ｂは、中心軸線Ｃと直交する方向に対して、中心軸線Ｃを挟んでボス部２２ａとは反対側の位置に形成されている。コネクタ接続部２２ｂは、回転体２２が回転軸１０５の下側の端面と固定体２１との間に保持された状態で、回転軸１０５の内部に臨む位置に形成される。コネクタ接続部２２ｂは、第２配索材３０のコネクタ３１がコネクタ接合される。
【００２５】
第２配索材３０は、導電性を有し、車両フロア１００側の電源１０７とシート１０１に設けられる電装品１０８とを電気的に接続する給電ラインの一部を構成する配索体である。第２配索材３０は、シート１０１に設けられ、当該シート１０１内に配索される。第２配索材３０は、第１配索材１０と同様に、例えば、複数の導電性を有する導体部（芯線）の外側を絶縁性の被覆部によって覆った電線等によって構成される。ここでは、第２配索材３０は、第１配索材１０と同様にフラットケーブル（ＦＦＣ）によって構成されてもよいし、通常の電線によって構成されてもよい。第２配索材３０は、一方の端部が巻き取り装置２０の回転体２２に接続される。ここでは、第２配索材３０は、当該一方の端部にコネクタ３１が設けられ、コネクタ３１が回転体２２のコネクタ接続部２２ｂにコネクタ接合されることで、回転体２２と接続される。そして、第２配索材３０は、他方の端部側にシート１０１に設けられた電装品１０８が電気的に接続される。当該第２配索材３０の余長は、シート１０１のスライド移動や回転にかかわらず不変である。
【００２６】
そして、上記の回転体２２は、上述したように、シート１０１の回転に伴って固定体２１に対して相対回転すると共に、固定体２１に接続された第１配索材１０と当該回転体２２に接続された第２配索材３０との電気的な接続を中継する回転コネクタを構成する。言い換えれば、回転体２２は、シート１０１の回転に伴って、第１配索材１０が接続された固定体２１と、回転体２２に接続された第２配索材３０のコネクタ３１との相対回転を許容する。その上で、回転体２２は、内部に設けられた導通部材等を介して車両フロア１００側の第１配索材１０とシート１０１側の第２配索材２０との電気的な導通を中継するものである。
【００２７】
上記のように構成される巻き取り装置２０の回転体２２は、シート１０１の回転に伴って、回転方向Ｌ２に沿ったシート１０１と固定体２１との相対回転を許容しつつ、車両フロア１００側の第１配索材１０とシート１０１側の第２配索材３０との電気的な接続を維持する。すなわち、回転体２２は、シート１０１が予め定まる基準位置（例えば、図２、図３参照）から回転方向Ｌ２の一方側に回転した場合（例えば、図６、図７等参照）、固定体２１に対して相対回転しつつ固定体２１に接続された第１配索材１０と回転体２２に接続された第２配索材３０との電気的な接続を維持する。回転体２２は、シート１０１が回転方向Ｌ２の一方側に回転した状態（例えば、図６、図７等参照）から基準位置（例えば、図２、図３参照）に戻るように回転した場合も同様に動作する。
【００２８】
そして、巻き取り装置２０の固定体２１は、シート１０１のスライド移動に伴うスライド方向Ｌ１に沿った第１配索材１０の引き出し及び巻き取りを行う。すなわち、固定体２１は、シート１０１がスライド方向Ｌ１（前後方向Ｘ）に沿ってコネクタ１１に接近する側にスライド移動した場合（例えば、図２、図３に示す位置から図７に示す位置に移動した場合）、スライド方向Ｌ１に沿って第１配索材１０を巻き取る。一方、巻き取り装置２０は、シート１０１がスライド方向Ｌ１（前後方向Ｘ）に沿ってコネクタ１１から離間する側にスライド移動した場合（例えば、図７に示す位置から図２、図３に示す位置に移動した場合）、スライド方向Ｌ１に沿って第１配索材１０が引き出される。
【００２９】
なお、回転体２２のコネクタ接続部２２ｂに接続される第２配索材３０と電装品１０８との組み合わせは、１組に限らず、複数組であってもよい。つまり、第２配索材３０は、回転体２２に対して複数が接続されてもよい。この場合、巻き取り装置２０の回転体２２は、複数の第２配索材３０を介して複数の電装品１０８に電力分配する電源分配機器として兼用されてもよい。
【００３０】
以上で説明したシート用ワイヤハーネス１は、第１配索材１０と巻き取り装置２０と第２配索材３０とを介して車両フロア１００側の電源１０７とシート１０１に設けられた電装品１０８とを電気的に接続し、電源１０７から電装品１０８に給電を行うことができる。この場合、巻き取り装置２０は、シート１０１のスライド移動に伴って固定体２１によって第１配索材１０の引き出し及び巻き取りを行う。この構成により、巻き取り装置２０は、シート１０１のスライド位置に応じて第１配索材１０に張力が作用した状態で適正に第１配索材１０の余長を吸収することができる。また、巻き取り装置２０は、シート１０１の回転に伴って固定体２１に対して相対回転する回転体２２によって第１配索材１０と第２配索材２０との電気的な接続を中継する。この構成により、巻き取り装置２０は、第１配索材１０と第２配索材３０とを電気的に接続した状態を維持してシート１０１の回転を許容することができる。この結果、シート用ワイヤハーネス１は、例えば、図７等に示すように、スライド移動、及び、回転によって多様なシートアレンジが可能なシート１０１に対して途切れることなく適正に給電することができる。また、シート用ワイヤハーネス１は、巻き取り装置２０によって第１配索材１０の余長を吸収することで、例えば、第１配索材１０のバタつきによる異音発生等を抑制することもできる。
【００３１】
具体的には、以上で説明したシート用ワイヤハーネス１は、巻き取り装置２０の固定体２１がシート１０１のスライド移動に伴うスライド方向Ｌ１に沿った第１配索材１０の引き出し及び巻き取りを行う。この結果、シート用ワイヤハーネス１は、上記のようにシート１０１のスライド位置に応じて適正に第１配索材１０の余長を吸収する構成を実現することができる。
【００３２】
なお、上述した本発明の実施形態に係るシート用ワイヤハーネスは、上述した実施形態に限定されず、特許請求の範囲に記載された範囲で種々の変更が可能である。
【００３３】
以上の説明では、シート１０１のスライド方向Ｌ１は、前後方向Ｘに沿った方向であるものとして説明したがこれに限らず、幅方向Ｙに沿った方向であってもよい。
【００３４】
以上の説明では、第１配索材１０は、フラットケーブル（ＦＦＣ）によって構成されるものとして説明したがこれに限らず、通常の電線によって構成されてもよい。
【符号の説明】
【００３５】
１    シート用ワイヤハーネス
１０    第１配索材
２０    巻き取り装置
２１    固定体
２１ａ    ブラケット部
２２    回転体
２２ａ    ボス部
２２ｂ    コネクタ接続部
３０    第２配索材
１００    車両フロア
１０１    シート
１０２    シートベース
１０３    シートレール
１０４    スライダ
１０５    回転軸
１０５ａ    嵌合凹部
１０６    座面部
１０７    電源
１０８    電装品
Ｃ    中心軸線
Ｌ１    スライド方向
Ｌ２    回転方向
【図１】
2020114080.tif 000003
【図２】
2020114080.tif 000004
【図３】
2020114080.tif 000005
【図４】
2020114080.tif 000006
【図５】
2020114080.tif 000007
【図６】
2020114080.tif 000008
【図７】
2020114080.tif 000009